(57)【要約】【課題】  本発明は、一般−ＴＶ放送番組に対するＥＰＧを用いて選択した一般−ＴＶ放送番組に対応するＩＰ−ＴＶ放送番組を提供する方法及びこれを適用した放送受信装置に提供することにある。【解決手段】  放送番組の提供方法及びこれを適用した放送受信装置が提供される。本放送番組の提供方法は、一般−ＴＶ放送番組とともに受信し保存しているＥＰＧをユーザーに提供し、このＥＰＧを用いてユーザーが選択した一般−ＴＶ放送番組に対応するＩＰ−ＴＶ放送番組を提供する。【選択図】      図３
2010252339.tif 000002
【特許請求の範囲】
【請求項１】
一般−ＴＶ放送番組とともに受信される前記一般−ＴＶ放送番組に対するＥＰＧ（Ｅｌｅｃｔｒｏｎｉｃ  Ｐｒｏｇｒａｍ  Ｇｕｉｄｅ）を保存するステップと、
前記保存ステップで保存されたＥＰＧを提供するステップと、
前記ＥＰＧを用いてユーザーが選択した一般−ＴＶ放送番組に対応するＩＰ（Ｉｎｔｅｒｎｅｔ  Ｐｒｏｔｏｃｏｌ）−ＴＶ放送番組を要請するステップと、
前記要請に対する応答で受信されたＩＰ−ＴＶ放送番組を提供するステップと、
を含むことを特徴とする放送番組の提供方法。
【請求項２】
前記要請ステップは、
前記ＥＰＧを用いてユーザーが選択した一般−ＴＶ放送番組に対応するＩＰ−ＴＶ放送番組に対する情報が含まれた要請メッセージを転送し、前記対応するＩＰ−ＴＶ放送番組を要請することを特徴とする請求項１に記載の放送番組の提供方法。
【請求項３】
前記要請ステップは、
一般−ＴＶの諸放送番組が対応するＩＰ−ＴＶの諸放送番組にそれぞれマッチングされているＤＢに収録されたＩＰ−ＴＶの諸放送番組に対する情報を参照して、前記要請メッセージを作成することを特徴とする請求項２に記載の放送番組の提供方法。
【請求項４】
前記要請ステップは、
前記ＥＰＧを用いてユーザーが選択した一般−ＴＶ放送番組に対する情報が含まれた要請メッセージを転送し、前記対応するＩＰ−ＴＶ放送番組を要請することを特徴とする請求項１に記載の放送番組の提供方法。
【請求項５】
前記ＥＰＧ提供ステップは、
既に放送された一般−ＴＶの諸放送番組を含むＥＰＧであることを特徴とする請求項１に記載の放送番組の提供方法。
【請求項６】
前記ＥＰＧ提供ステップは、
前記保存ステップで保存された以前（ｐｒｅｖｉｏｕｓ）の一般−ＴＶ放送番組が記されたＥＰＧを提供することを特徴とする請求項５に記載の放送番組の提供方法。
【請求項７】
前記要請ステップは、
一般−ＴＶ放送番組の受信装置に接続されたＩＰ−ＴＶ放送番組の受信装置に前記ＩＰ−ＴＶ放送番組を要請することを特徴とする請求項１に記載の放送番組の提供方法。
【請求項８】
前記要請ステップは、
インターネットを通じて接続されたＩＰ−ＴＶ放送サービスサーバーに、前記ＩＰ−ＴＶ放送番組を要請することを特徴とする請求項１に記載の放送番組の提供方法。
【請求項９】
前記対応するＩＰ−ＴＶ放送番組は、
前記一般−ＴＶ放送番組と同じ内容のＩＰ−ＴＶ放送番組、または前記一般−ＴＶ放送番組と関連性のあるＩＰ−ＴＶ放送番組であることを特徴とする請求項１に記載の放送番組の提供方法。
【請求項１０】
前記一般−ＴＶ放送番組と関連性のあるＩＰ−ＴＶ放送番組は、
１）前記一般−ＴＶ放送番組と同じタイトルで、回数の異なるＩＰ−ＴＶ放送番組、
２）前記一般−ＴＶ放送番組の登場人物の内、少なくとも一部が一致するＩＰ−ＴＶ放送番組、及び
３）前記一般−ＴＶ放送番組と同じジャンルのＩＰ−ＴＶ放送番組
の内少なくとも一つを含むことを特徴とする請求項９に記載の放送番組の提供方法。
【請求項１１】
前記要請ステップは、
前記ユーザーが選択した一般−ＴＶ放送番組と前記一般−ＴＶ放送番組に対応するＩＰ−ＴＶ放送番組に共通する情報が収録された要請メッセージを用いて、前記ＩＰ−ＴＶ放送番組を要請することを特徴とする請求項１に記載の放送番組の提供方法。
【請求項１２】
一般−ＴＶ放送番組の受信装置から放送番組の要請を受信するステップと、
要請された放送番組をＩＰ−ＴＶ放送サービスサーバーに要請するステップと、及
び、
前記ＩＰ−ＴＶ放送サービスサーバーから受信したＩＰ−ＴＶ放送番組を前記一般
−ＴＶ放送番組の受信装置に伝達するステップと、
を含むことを特徴とする放送番組の提供方法。
【請求項１３】
前記要請された放送番組はＩＰ−ＴＶ放送番組であり、
前記要請ステップは、
要請されたＩＰ−ＴＶ放送番組を前記ＩＰ−ＴＶ放送サービスサーバーに要請することを特徴とする請求項１２に記載の放送番組の提供方法。
【請求項１４】
前記要請された放送番組は一般−ＴＶ放送番組であり、
前記要請ステップは、
１）要請された一般−ＴＶ放送番組を前記ＩＰ−ＴＶ放送サービスサーバーに要請したり、
２）前記一般−ＴＶ放送番組に対応するＩＰ−ＴＶ放送番組を前記ＩＰ−ＴＶ放送サービスサーバーに要請することを特徴とする請求項１２に記載の放送番組の提供方法。
【請求項１５】
前記要請ステップは、
一般−ＴＶの諸放送番組が対応するＩＰ−ＴＶの諸放送番組にそれぞれマッチングされているＤＢを参照し、前記対応するＩＰ−ＴＶ放送番組を前記ＩＰ−ＴＶ放送サービスサーバーに要請することを特徴とする請求項１４に記載の放送番組の提供方法。
【発明の詳細な説明】
【技術分野】
【０００１】
本発明は、放送番組の提供方法及びこれを適用した放送受信装置に関し、更に詳しくは地上波、ケーブル、衛星等のように多様な媒体を介して受信される放送番組をユーザーに提供する方法及びこれを適用した放送受信装置に関する。
【背景技術】
【０００２】
ＩＰ−ＴＶ放送の登場により、ユーザーは自らが好きな放送番組を好きな時間にパーソナライズ型に視聴することが可能になった。このような便利さにより、ＩＰ−ＴＶ放送は利用率が急速に伸びている傾向にある。
【０００３】
ところが、一般−ＴＶ放送番組に慣れているせいか、多くのユーザーは一般−ＴＶ放送番組を主に視聴する。即ち、ＩＰ−ＴＶ放送番組は付随的に視聴する傾向がある。
【０００４】
これに対する代表的な場合が、ある事情により視聴できなかった一般−ＴＶ放送番組をＩＰ−ＴＶ放送番組で代わりに視聴する場合である。
【０００５】
そのために、ユーザーはＩＰ−ＴＶ放送番組の目録の出ているＧＵＩを呼び出さなければならず、このＧＵＩを介してＩＰ−ＴＶ放送番組を探さなければならない。
【０００６】
ところが、ＩＰ−ＴＶ放送番組が多くなるにつれ、望むＩＰ−ＴＶ放送番組を探すのは容易な作業ではない。
【先行技術文献】
【特許文献】
【０００７】
【特許文献１】韓国特許公開第１０−２００８−００３０９１０号公報
【発明の概要】
【発明が解決しようとする課題】
【０００８】
本発明は上記のような問題を解決するために案出されたものであって、本発明の目的は、ユーザーの望むＩＰ−ＴＶ放送番組をより便利に選択できるようにするための方案で、一般−ＴＶ放送番組に対するＥＰＧを用いて選択した一般−ＴＶ放送番組に対応するＩＰ−ＴＶ放送番組を提供する方法及びこれを適用した放送受信装置を提供することにある。
【０００９】
本発明の他の目的は、リアルタイムの放送番組に対する放送編成表を用いて選択したリアルタイムの放送番組に対応する非リアルタイムの放送番組を提供する方法及びこれを適用した放送受信装置を提供することにある。
【００１０】
本発明のもう一つの他の目的は、放送編成表を用いて選択された放送番組に対応する「他の放送方式で放送される放送番組」を提供する方法及びこれを適用した放送受信装置を提供することにある。
【課題を解決するための手段】
【００１１】
前記目的を達成するための本発明に係る放送番組の提供方法は、一般−ＴＶ放送番組とともに受信される前記一般−ＴＶ放送番組に対するＥＰＧ（Ｅｌｅｃｔｒｏｎｉｃ  Ｐｒｏｇｒａｍ  Ｇｕｉｄｅ）を保存するステップと、前記保存ステップで保存されたＥＰＧを提供するステップと、前記ＥＰＧを用いてユーザーが選択した一般−ＴＶ放送番組に対応するＩＰ（Ｉｎｔｅｒｎｅｔ  Ｐｒｏｔｏｃｏｌ）−ＴＶの放送番組を要請するステップと、及び、前記要請に対する応答で受信されたＩＰ−ＴＶ放送番組を提供するステップと、を含む。
【００１２】
そして、前記要請ステップは、前記ＥＰＧを用いてユーザーが選択した一般−ＴＶ放送番組に対応するＩＰ−ＴＶ放送番組に対する情報が含まれた要請メッセージを転送し、前記対応するＩＰ−ＴＶ放送番組を要請することができる。
【００１３】
なお、前記要請ステップは、一般−ＴＶの諸放送番組が対応するＩＰ−ＴＶの諸放送番組にそれぞれマッチングされているＤＢに収録されたＩＰ−ＴＶの諸放送番組に対する情報を参照し、前記要請メッセージを作成するのが望ましい。
【００１４】
そして、前記要請ステップは、前記ＥＰＧを用いてユーザーが選択した一般−ＴＶ放送番組に対する情報が含まれた要請メッセージを転送し、前記対応するＩＰ−ＴＶ放送番組を要請することができる。
【００１５】
なお、前記ＥＰＧ提供ステップは、既に放送された一般−ＴＶの諸放送番組を含むＥＰＧであることが望ましい。
【００１６】
そして、本放送番組の提供方法は、受信される一般−ＴＶ放送番組に対するＥＰＧを保存するステップと、を更に含み、前記ＥＰＧ提供ステップは、前記保存ステップで保存された以前（ｐｒｅｖｉｏｕｓ）の一般−ＴＶ放送番組が記されたＥＰＧを提供することが望ましい。
【００１７】
なお、前記要請ステップは、一般−ＴＶ放送番組の受信装置に接続されたＩＰ−ＴＶ放送番組の受信装置に前記ＩＰ−ＴＶ放送番組を要請することができる。そして、前記要請ステップは、インターネットを通じて接続されたＩＰ−ＴＶ放送サービスサーバーに、前記ＩＰ−ＴＶ放送番組を要請することができる。
【００１８】
そして、前記対応するＩＰ−ＴＶ放送番組は、前記一般−ＴＶ放送番組と同じ内容のＩＰ−ＴＶ放送番組、または前記一般−ＴＶ放送番組と関連性のあるＩＰ−ＴＶ放送番組であり得る。
【００１９】
なお、前記一般−ＴＶ放送番組と関連性のあるＩＰ−ＴＶ放送番組は、１）前記一般−ＴＶ放送番組と同じタイトルで、回数の異なるＩＰ−ＴＶ放送番組、２）前記一般−ＴＶ放送番組の登場人物の内、少なくとも一部が一致するＩＰ−ＴＶ放送番組、及び３）前記一般−ＴＶ放送番組と同じジャンルのＩＰ−ＴＶ放送番組の内少なくとも一つを含むことができる。
【００２０】
そして、前記要請ステップは、前記ユーザーが選択した一般−ＴＶ放送番組と前記一般−ＴＶ放送番組に対応するＩＰ−ＴＶ放送番組に共通する情報が収録された要請メッセージを用いて、前記ＩＰ−ＴＶ放送番組を要請することができる。
【００２１】
一方、本発明に係る放送番組の提供方法は、一般−ＴＶ放送番組の受信装置から放送番組の要請を受信するステップと、要請された放送番組をＩＰ−ＴＶ放送サービスサーバーに要請するステップと、及び、前記ＩＰ−ＴＶ放送サービスサーバーから受信したＩＰ−ＴＶ放送番組を前記一般−ＴＶ放送番組の受信装置に伝達するステップと、を含む。
【００２２】
そして、前記要請された放送番組はＩＰ−ＴＶ放送番組であり、前記要請ステップは、要請されたＩＰ−ＴＶ放送番組を前記ＩＰ−ＴＶ放送サービスサーバーに要請することができる。
【００２３】
なお、前記要請された放送番組は一般−ＴＶ放送番組であり、前記要請ステップは、１）要請された一般−ＴＶ放送番組を前記ＩＰ−ＴＶ放送サービスサーバーに要請したり、２）前記一般−ＴＶ放送番組に対応するＩＰ−ＴＶ放送番組を前記ＩＰ−ＴＶ放送サービスサーバーに要請することができる。
【００２４】
そして、前記要請ステップは、一般−ＴＶの諸放送番組が対応するＩＰ−ＴＶの諸放送番組にそれぞれマッチングされているＤＢを参照し、前記対応するＩＰ−ＴＶ放送番組を前記ＩＰ−ＴＶ放送サービスサーバーに要請することが望ましい。
【００２５】
一方、本発明に係る放送番組の提供方法は、一般−ＴＶ放送番組の要請を受信するステップと、要請された一般−ＴＶ放送番組に対応するＩＰ−ＴＶ放送番組を検索するステップと、及び、検索されたＩＰ−ＴＶ放送番組を、要請に対する応答として転送するステップと、を含む。
【００２６】
そして、前記検索ステップは、一般−ＴＶの諸放送番組が対応するＩＰ−ＴＶの諸放送番組にそれぞれマッチングされているＤＢを参照し、前記対応するＩＰ−ＴＶ放送番組を検索する。
【００２７】
一方、本発明に係る放送受信装置は、受信された放送番組が表示される表示部と、一般−ＴＶ放送番組とともに受信される一般−ＴＶ放送番組に対するＥＰＧ（Ｅｌｅｃｔｒｏｎｉｃ  Ｐｒｏｇｒａｍ  Ｇｕｉｄｅ）が保存される保存部と、及び、前記保存部に保存されたＥＰＧが前記表示部に表示されるように制御し、前記ＥＰＧを用いてユーザーが選択した一般−ＴＶ放送番組に対応するＩＰ（Ｉｎｔｅｒｎｅｔ  Ｐｒｏｔｏｃｏｌ）−ＴＶ放送番組を要請し、前記要請に対する応答として受信されたＩＰ−ＴＶ放送番組が前記表示部に表示されるように制御する制御部と、を含む。
【００２８】
一方、本発明に係る放送番組の提供方法は、リアルタイムの放送番組とともに受信される前記リアルタイムの放送番組に対する放送編成表を保存するステップと、前記保存ステップで保存された放送編成表を提供するステップと、前記放送編成表を用いてユーザーが選択したリアルタイムの放送番組に対応する非リアルタイムの放送番組を要請するステップと、及び、前記要請に対する応答として受信された非リアルタイムの放送番組を提供するステップと、を含む。
【００２９】
一方、本発明に係る放送番組の提供方法は、「第１放送方式で放送される第１放送番組」とともに受信される前記第１放送番組に対する放送編成表を保存するステップと、前記保存ステップで保存された放送編成表を提供するステップと、前記放送編成表を用いてユーザーが選択した第１放送番組に対応する「第２放送方式で放送される第２放送番組」を要請するステップと、及び、前記要請に対する応答として前記第２放送方式で受信された第２放送番組を提供するステップと、を含む。
【発明の効果】
【００３０】
以上説明したように、本発明によると一般−ＴＶ放送番組に対するＥＰＧを用いて選択した一般−ＴＶ放送番組に対応するＩＰ−ＴＶ放送番組を提供できるようになり、ユーザーが望むＩＰ−ＴＶ放送番組をより便利に探し選択できるようになる。
【図面の簡単な説明】
【００３１】
【図１】本発明の適用可能な放送システムを例示した図である。
【図２】図１に示されたＩＰ−ＴＶの詳細ブロック図である。
【図３】図１示された放送システムにより加入者に放送番組が提供される過程の説明に提供される図である。
【図４】放送番組ＩＤ変換用ＤＢを例示した図である。
【図５】図１に示された放送システムにより加入者に放送番組が提供される他の過程の説明に提供される図である。
【図６】本発明の適用可能な他の放送システムを例示した図である。
【図７】図６に示されたＳＴＢの詳細ブロック図である。
【図８】図６に示された放送システムにより加入者に放送番組が提供される過程の説明に提供される図である。
【図９】図６に示された放送システムにより加入者に放送番組が提供される他の過程の説明に提供される図である。
【図１０】本発明の適用可能なもう一つの他の放送システムを例示した図である。
【図１１】図１０に示されたＤＴＶの詳細ブロック図である。
【図１２】図１０に示されたＳＴＢの詳細ブロック図である。
【図１３】図１０に示された放送システムにより加入者に放送番組が提供される過程の説明に提供される図である。
【図１４】図１０に示された放送システムにより加入者に放送番組が提供されるもう一つの他の過程の説明に提供される図である。
【図１５】図１０に示された放送システムにより加入者に放送番組が提供されるもう一つの他の過程の説明に提供される図である。
【発明を実施するための形態】
【００３２】
以下では、図を参照して本発明をより詳細に説明する。
【００３３】
図１は、本発明の適用可能な放送システムを例示した図である。図１に示された放送システムは、一般−ＴＶ放送サービスセンター１１０、ＩＰ（Ｉｎｔｅｒｎｅｔ  Ｐｒｏｔｏｃｏｌ）−ＴＶ１２０及びＩＰ−ＴＶ放送サービスサーバー１７０を含む。
【００３４】
一般−ＴＶ放送サービスセンター１１０は、地上波、ケーブルまたは衛星等を通じて加入者に一般−ＴＶ放送番組とそれに対するＥＰＧ（Ｅｌｅｃｔｒｏｎｉｃ  Ｐｒｏｇｒａｍ  Ｇｕｉｄｅ）を提供する。一般−ＴＶ放送番組はリアルタイムの放送であり、放送編成に応じて提供されるとの点から単方向性である。
【００３５】
ＩＰ−ＴＶ放送サービスサーバー１７０は、インターネットを通じて加入者にＩＰ−ＴＶ放送番組を提供する。ＩＰ−ＴＶ放送番組はリアルタイム番組もあるが、主に非リアルタイムの放送であり、加入者の要請に応じて提供されるとの点から両方向性である。
【００３６】
ＩＰ−ＴＶ１２０は、ＩＰ−ＴＶ放送サービスサーバー１７０が提供するＩＰ−ＴＶ放送番組を受信し、受信されたＩＰ−ＴＶ放送番組を再生して加入者に提供する。
【００３７】
この他にも、ＩＰ−ＴＶ１２０は、一般−ＴＶ放送サービスセンター１１０の提供する一般−ＴＶ放送番組を受信し、受信した一般−ＴＶ放送番組を再生して加入者に提供する。なお、ＩＰ−ＴＶ１２０は加入者の要請のある場合、一般−ＴＶ放送番組に対するＥＰＧをディスプレーして加入者に提供する。
【００３８】
図２は、図１に示されたＩＰ−ＴＶ１２０の詳細ブロック図である。図２に示されているように、ＩＰ−ＴＶ１２０は、一般−ＴＶ放送受信部１２１、ＩＰ−ＴＶ放送受信部１２２、放送処理部１２３、ＧＵＩ処理部１２４、放送表示部１２５、制御部１２６、保存部１２７及びリモコン受信部１２８を備える。
【００３９】
一般−ＴＶ放送受信部１２１は、一般−ＴＶ放送サービスセンター１１０の提供する一般−ＴＶ放送番組を地上波、ケーブル又は衛星等を通じて受信し復調する。
【００４０】
ＩＰ−ＴＶ放送受信部１２２は、ＩＰ−ＴＶ放送サービスサーバー１７０の提供するＩＰ−ＴＶ放送番組をインターネットを通じて受信し復調する。なお、ＩＰ−ＴＶ放送受信部１２２は、後述の制御部１２６の「放送番組の要請メッセージ」をＩＰ−ＴＶ放送サービスサーバー１７０に伝達する。
【００４１】
放送処理部１２３は、一般−ＴＶ放送受信部１２１から出力される一般−ＴＶ放送番組とＩＰ−ＴＶ放送受信部１２２から出力されるＩＰ−ＴＶ放送番組に対するデマルチプレキシング、デコーディング、スケーリング等の信号処理を行う。
【００４２】
ＧＵＩ（Ｇｒａｐｈｉｃａｌ  Ｕｓｅｒ  Ｉｎｔｅｒｆａｃｅ）処理部１２４は、放送処理部１２３から出力される放送番組の画面に必要なＧＵＩを付加する。前述のＥＰＧは、ＧＵＩ処理部１２４から付加されるＧＵＩの一種に該当する。
【００４３】
放送表示部１２５は、ＧＵＩ処理部１２４からＧＵＩの付加された放送番組の画面をディスプレーする。
【００４４】
制御部１２６は、リモコン受信部１２８を介して受信されるユーザー命令に従い、前述の構成要素を制御する。
【００４５】
なお、制御部１２６は、放送処理部１２３が一般−ＴＶ放送番組と分離して出力するＥＰＧを保存部１２７に保存する。保存部１２７には、現在時点と以後（未来）時点に対するＥＰＧはもちろん、以前（過去）時点に対するＥＰＧも保存される。
【００４６】
そして、リモコン受信部１２８を介してユーザーから「ＥＰＧ呼び出し命令」を受信すると、制御部１２６は保存部１２７に保存されたＥＰＧが放送処理部１２３から出力される放送番組の画面にＧＵＩが付加されるようにＧＵＩ処理部１２４を制御する。
【００４７】
以下では、図１に示された放送システムにより加入者に放送番組が提供される過程について、図３を参照して詳細に説明する。図３は、本発明の一実施例に係る放送番組の提供方法の説明に提供されるフローチャートである。
【００４８】
図３に示されているように、一般−ＴＶ放送サービスセンター１１０から一般−ＴＶ放送番組とそれに対するＥＰＧを受信すると（Ｓ３１０）、ＩＰ−ＴＶ１２０は受信される一般−ＴＶ放送番組を再生する（Ｓ３２０）。そして、ＩＰ−ＴＶ１２０は受信される一般−ＴＶ放送番組に対するＥＰＧを保存する（Ｓ３３０）。
【００４９】
１）Ｓ３１０ステップは、ＩＰ−ＴＶ１２０の一般−ＴＶ放送受信部１２１により行われ、２）Ｓ３２０ステップは、ＩＰ−ＴＶ１２０放送処理部１２３と放送表示部１２５により行われ、３）Ｓ３３０ステップは、ＩＰ−ＴＶ１２０の制御部１２６と保存部１２７により行われる。
【００５０】
もし、加入者により一般−ＴＶ放送番組に対するＥＰＧが呼び出されると、ＩＰ−ＴＶ１２０はＳ３３０ステップで保存されたＥＰＧを加入者に提供する（Ｓ３４０）。Ｓ３４０ステップは、制御部１２６が保存部１２７に保存されているＥＰＧが放送番組の画面に付加されるようにＧＵＩ処理部１２４を制御する過程による。
【００５１】
一方、ＩＰ−ＴＶ１２０の保存部１２７には、現在時点と以後時点に対するＥＰＧ（現在放送中か未放送の放送番組に対するＥＰＧ）はもちろん、以前時点に対するＥＰＧ（既に放送された諸放送番組に対するＥＰＧ）も保有していることは前述した。
【００５２】
従って、Ｓ３４０ステップで提供されるＥＰＧには、現在時点と未来時点はもちろん以前時点に対するＥＰＧも含まれている。
【００５３】
従って、加入者はＳ３４０ステップを介して提供されるＥＰＧを用いて現在時点と未来時点の一般−ＴＶ放送番組はもちろん以前時点の一般−ＴＶ放送番組を選択したり、その放送番組に対する細部情報を確認することが可能になる。
【００５４】
加入者が、ＥＰＧを介して以前時点の一般−ＴＶ放送番組を選択すると（Ｓ３５０）、ＩＰ−ＴＶ１２０はＳ３５０ステップで選択された一般−ＴＶ放送番組のＩＤをそれと同じ内容を持つＩＰ−ＴＶ放送番組のＩＤに変換する（Ｓ３６０）。
【００５５】
Ｓ３６０ステップは、ＩＰ−ＴＶ２００の保存部１２７に保存されている放送番組ＩＤ変換用ＤＢを参考し、制御部１２６が行う。放送番組ＩＤ変換用ＤＢは、「一般−ＴＶ放送番組のＩＤ」と「それと同じ内容を持つＩＰ−ＴＶ放送番組のＩＤ」が一対一にマッチングされているＤＢであり、図４に例示されている。
【００５６】
放送番組ＩＤ変換用ＤＢは、ＩＰ−ＴＶ放送サービスサーバー１７０から伝達され、保存部１２７に保存されるように実現できることはもちろん、インターネット上の他のサーバーから伝達され保存部１２７に保存されるように実現することも可能である。
【００５７】
「一般−ＴＶ放送番組ＩＤ」は、一般−ＴＶ放送番組を特定するのに必要であり、「ＩＰ−ＴＶ放送番組ＩＤ」はＩＰ−ＴＶ放送番組を特定するのに必要である。従って、ＩＰ−ＴＶ放送番組を要請するには、要請したいＩＰ−ＴＶ放送番組のＩＤを分からなくてはならない。
【００５８】
Ｓ３６０ステップにより制御部１２６はユーザーが選択した以前時点の一般−ＴＶ放送番組と同じ内容を持つＩＰ−ＴＶ放送番組のＩＤが獲得できるようになる。
【００５９】
ＩＰ−ＴＶ１２０は、Ｓ３６０ステップを介して獲得したＩＰ−ＴＶ放送番組のＩＤを用いて、ＩＰ−ＴＶ放送サービスサーバー１７０に当該ＩＰ−ＴＶ放送番組を要請する（Ｓ３７０）。以後、ＩＰ−ＴＶ１２０はＳ３７０ステップを介して要請したＩＰ−ＴＶ放送番組を受信し（Ｓ３８０）、受信されたＩＰ−ＴＶ放送番組を再生してユーザーが観られるようにする（Ｓ３９０）。
【００６０】
Ｓ３７０ステップは、制御部１２６がＩＰ−ＴＶ放送受信部１２２を介してＩＰ−ＴＶ放送サービスサーバー１７０にＩＰ−ＴＶ放送番組の要請メッセージを伝達する過程による。この時、ＩＰ−ＴＶ放送番組の要請メッセージには、望むＩＰ−ＴＶ放送番組を特定するためにＳ３６０ステップで獲得されたＩＰ−ＴＶ放送番組のＩＤが含まれる。
【００６１】
Ｓ３８０ステップとＳ３９０ステップは、ＩＰ−ＴＶ１２０のＩＰ−ＴＶ放送受信部１２２、放送処理部１２３、放送表示部１２５により行われる。
【００６２】
これにより、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【００６３】
以下では、図１に示された放送システムにより加入者に放送番組の提供される他の過程について、図５を参照して詳細に説明する。図5は、本発明の他の実施例に係る放送番組の提供方法の説明に提供されるフローチャートである。
【００６４】
図５のＳ５１０ステップ乃至Ｓ５５０ステップに対する詳細な説明は、図３のＳ３１０ステップ乃至Ｓ３５０ステップに対する詳細な説明から類推可能であるため省略し、以下ではＳ５５０ステップ以後から説明する。
【００６５】
ＩＰ−ＴＶ１２０は、Ｓ５５０ステップで選択された以前時点の一般−ＴＶ放送番組をＩＰ−ＴＶ放送サービスサーバー１７０に要請する（Ｓ５６０）。Ｓ５６０ステップは、制御部１２６がＩＰ−ＴＶ放送受信部１２２を介してＩＰ−ＴＶ放送サービスサーバー１７０に放送番組の要請メッセージを伝達する過程による。この時、放送番組の要請メッセージには、Ｓ５５０ステップで選択された以前時点の一般−ＴＶ放送番組のＩＤが含まれる。
【００６６】
ＩＰ−ＴＶ放送サービスサーバー１７０はＳ５６０ステップで要請された以前時点の一般−ＴＶ放送番組と同じ内容のＩＰ−ＴＶ舗装番組を検索する（Ｓ５７０）。Ｓ５７０ステップは、１）ＩＰ−ＴＶ放送サービスサーバー１７０がＳ５６０ステップで受信した放送番組の要請メッセージに収録されている一般−ＴＶ舗装番組のＩＤを抽出し、２）放送番組ＩＤ変換用ＤＢ上から抽出された一般−ＴＶ放送番組のＩＤにマッチングされるＩＰ−ＴＶ放送番組のＩＤを探し出す手続きによる。ここで、放送番組ＩＤ変換用ＤＢは前述の図４に示されたものでも構わない。
【００６７】
以後、ＩＰ−ＴＶ放送サービスサーバー１７０がＳ５７０ステップで検索されたＩＰ−ＴＶ放送番組を転送すると（Ｓ５８０）、ＩＰ−ＴＶ１２０は受信されたＩＰ−ＴＶ放送番組を再生してユーザーが観られるようにする（Ｓ５９０）。
【００６８】
これによっても、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【００６９】
図6は、本発明の適用可能な他の放送システムを例示した図である。図6に示された放送システムは、一般−ＴＶ放送サービスセンター１１０、ＤＴＶ１３０、ＳＴＢ１４０及びＩＰ−ＴＶ放送サービスサーバー１７０を含む。
【００７０】
一般−ＴＶ放送サービスセンター１１０及びＩＰ−ＴＶ放送サービスサーバー１７０に対する詳細な説明は、図1に対する詳細な説明から類推可能であるため省略する。
【００７１】
ＳＴＢ１４０は、一般−ＴＶ放送サービスセンター１１０の提供する一般−ＴＶ放送番組を受信し、受信した一般−ＴＶ放送番組をディスプレー可能なフォーマットに信号処理してＤＴＶ１３０に伝達する。
【００７２】
この他にも、ＳＴＢ１４０はＩＰ−ＴＶ放送サービスサーバー１７０の提供するＩＰ−ＴＶ放送番組を受信し、受信されたＩＰ−ＴＶ放送番組をディスプレー可能なフォーマットに信号処理してＤＴＶ１３０に伝達する。
【００７３】
ＤＴＶ１３０は、ＳＴＢ１４０から受信される放送番組をディスプレーしてユーザーが観られるようにする。
【００７４】
図7は、図6に示されたＳＴＢ１４０の詳細ブロック図である。図6に示されているように、ＳＴＢ１４０は一般−ＴＶ放送受信部１４１、ＩＰ−ＴＶ放送受信部１４２、放送処理部１４３、ＧＵＩ処理部１４４、放送出力部１４５、制御部１４６、保存部１４７及び受信部１４８を備える。
【００７５】
図７に示された一般−ＴＶ放送受信部１４１、ＩＰ−ＴＶ放送受信部１４２、放送処理部１４３、ＧＵＩ処理部１４４、制御部１４６、保存部１４７及びリモコン受信部１４８に対する詳細な説明は、図２に示された一般−ＴＶ放送受信部１２１、ＩＰ−ＴＶ放送受信部１２２、放送処理部１２３、ＧＵＩ処理部１２４、制御部１２６、保存部１２７及びリモコン受信部１２８に対する詳細な説明から類推可能であるため省略する。
【００７６】
一方、図7に示された放送出力部１４５はＧＵＩ処理部１４４でＧＵＩの付加された放送画面をＤＴＶ１３０に出力する機能を行う。
【００７７】
以下では、図６に示された放送システムにより加入者に放送番組が提供される過程について、図８を参照して詳細に説明する。図８は、本発明のもう一つの他の実施例に係る放送番組の提供方法の説明に提供されるフローチャートである。
【００７８】
図８に示されているように、先ず一般−ＴＶ放送サービスセンター１１０から一般−ＴＶ放送番組とそれに対するＥＰＧを受信すると（Ｓ８０５）、ＳＴＢ１４０は受信される一般−ＴＶ放送番組をＤＴＶ１３０に伝達する（Ｓ８１０）。そうすると、ＤＴＶ１３０はＳ８１０ステップで伝達された一般−ＴＶ放送番組をディスプレーする（Ｓ８１５）。
【００７９】
一方、ＳＴＢ１４０はＳ８０５ステップで受信される一般−ＴＶ放送番組に対するＥＰＧを保存する（Ｓ８２０）。
【００８０】
もし、加入者により一般−ＴＶ放送番組に対するＥＰＧが呼び出されると、ＳＴＢ１４０はＳ８２０ステップで保存されたＥＰＧの記された放送画面をＤＴＶ１３０に伝達する（Ｓ８２５）。これにより、ＤＴＶ１３０はＳ８２５ステップで伝達されるＥＰＧの記された放送画面が表示される（Ｓ８３０）。
【００８１】
Ｓ８３０ステップで表示されるＥＰＧには、現在時点と未来時点はもちろん以前時点に対するＥＰＧも含まれている。
【００８２】
従って、加入者はＳ８３０ステップを介して提供されるＥＰＧを用いて現在時点と未来時点の一般−ＴＶ放送番組はもちろん以前時点の一般−ＴＶ放送番組を選択したり、その放送番組に対する細部情報を確認することが可能である。
【００８３】
加入者はＥＰＧを介して以前時点の一般−ＴＶ放送番組を選択すると（Ｓ８３５）、ＳＴＢ１４０は選択された一般−ＴＶ放送番組のＩＤをそれと同じ内容を持つＩＰ−ＴＶ放送番組のＩＤに変換する（Ｓ８４０）。Ｓ８４０ステップは、前述の放送番組ＩＤ変換用ＤＢを参考して遂行可能である。
【００８４】
ＳＴＢ１４０は、Ｓ８４０ステップを介して獲得したＩＰ−ＴＶ放送番組のＩＤを用いて、ＩＰ−ＴＶ放送サービスサーバー１７０に当該ＩＰ−ＴＶ放送番組を要請する（Ｓ８４５）。以後、ＳＴＢ１４０はＳ８４５ステップを介して要請したＩＰ−ＴＶ放送番組を受信し（Ｓ８５０）、受信されたＩＰ−ＴＶ放送番組をＤＴＶ１３０に伝達する（Ｓ８５５）。そうすると、ＤＴＶ１３０はＳ８５５ステップで伝達されたＩＰ−ＴＶ放送番組をディスプレーする（Ｓ８６０）。
【００８５】
これにより、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することができるようになる。
【００８６】
以下では、図６に示された放送システムにより加入者に放送番組の提供する過程について、図９を参照し詳細に説明する。図９は本発明のもう一つの他の実施例に係る放送番組の提供方法の説明に提供されるフローチャートである。
【００８７】
図９のＳ９０５乃至Ｓ９３５ステップに対する詳細な説明は、図８のＳ８０５ステップ乃至Ｓ８３５ステップに対する詳細な説明から類推可能であるため省略し、以下ではＳ９３５ステップ以後から説明する。
【００８８】
ＳＴＢ１４０はＳ９３５ステップで選択された以前時点の一般−ＴＶ放送番組をＩＰ−ＴＶ放送サービスサーバー１７０に要請する（Ｓ９４０）。
【００８９】
そうすると、ＩＰ−ＴＶ放送サービスサーバー１７０はＳ９４０ステップで要請された以前時点の一般−ＴＶ放送番組と同じ内容のＩＰ−ＴＶ放送番組を検索する（Ｓ９４５）。Ｓ９４５ステップは、１）ＩＰ−ＴＶ放送サービスサーバー１７０がＳ９４０ステップで受信した放送番組の要請メッセージに収録されている一般−ＴＶ放送番組のＩＤを抽出し、２）放送番組ＩＤ変換用ＤＢ上から一般−ＴＶ放送番組のＩＤにマッチングされるＩＰ−ＴＶ放送番組のＩＤを探し出す過程による。ここで、放送番組ＩＤ変換用ＤＢは前述の図４に示されたものでも構わない。
【００９０】
以後、ＩＰ−ＴＶ放送サービスサーバー１７０がＳ９４５ステップで検索されたＩＰ−ＴＶ放送番組を転送すると（Ｓ９５０）、ＳＴＢ１４０は受信されたＩＰ−ＴＶ放送番組をＤＴＶ１３０に伝達する（Ｓ９５５）。そうすると、ＤＴＶ１３０はＳ９５５ステップで伝達されたＩＰ−ＴＶ放送番組をディスプレーする（Ｓ９６０）。
【００９１】
これによっても、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【００９２】
図１０は、本発明の適用可能なもう一つの他の放送システムを例示した図である。図１０に示された放送システムは、一般−ＴＶ放送サービスセンター１１０、ＤＴＶ１５０、ＳＴＢ１６０及びＩＰ−ＴＶ放送サービスサーバー１７０を含む。
【００９３】
一般−ＴＶ放送サービスセンター１１０及びＩＰ−ＴＶ放送サービスサーバー１７０に対する詳細な説明は、図１に対する詳細な説明から類推可能であるため省略する。
【００９４】
ＤＴＶ１５０は一般−ＴＶ放送サービスセンター１１０の提供する一般−ＴＶ放送番組を受信し、受信した一般−ＴＶ放送番組を再生し、ユーザーが観られるようにする。
【００９５】
ＳＴＢ１４０は、ＩＰ−ＴＶ放送サービスサーバー１７０が提供するＩＰ−ＴＶ放送番組を受信し、受信されたＩＰ−ＴＶ放送番組をディスプレー可能なフォーマットに信号処理してＤＴＶ１５０に伝達する。そうすると、ＤＴＶ１５０はＳＴＢ１４０から受信されるＩＰ−ＴＶ放送番組をディスプレーし、ユーザーが観られるようにする。
【００９６】
図１１は、図１０に示されたＤＴＶ１５０の詳細ブロック図である。図１１に示されているように、ＤＴＶ１５０は一般−ＴＶ放送受信部１５１、入出力部１５２、放送処理部１５３、ＧＵＩ処理部１５４、放送表示部１５５、制御部１５６、保存部１５７及びリモコン受信部１５８を備える。
【００９７】
図１１に示された一般−ＴＶ放送受信部１５１、放送処理部１５３、ＧＵＩ処理部１５４、放送表示部１５５、制御部１５６、保存部１５７及びリモコン受信部１４８に対する詳細な説明は、図２に示された一般−ＴＶ放送受信部１２１、放送処理部１２３、ＧＵＩ処理部１２４、放送表示部１５５、制御部１２６、保存部１２７及びリモコン受信部に対する詳細な説明から類推可能であるため省略する。
【００９８】
一方、図１１に示された入出力部１５２は、１）ＳＴＢ１６０から伝達されるＩＰ−ＴＶ放送番組を受信して放送処理部１５３又は放送表示部１５５に伝達し、２）制御部１５６の放送番組の要請メッセージをＳＴＢ１６０に伝達する機能を行う。
【００９９】
図１２は、図１０に示されたＳＴＢ１６０の詳細ブロック図である。図１２に示されているように、ＳＴＢ１６０はＩＰ−ＴＶ放送受信部１６２、放送処理部１６３、ＧＵＩ処理部１６４、放送出力部１６５、制御部１６６、保存部１６７、リモコン受信部１６８及び入出力部１６９を備える。
【０１００】
図１２に示されたＩＰ−ＴＶ放送受信部１６２、放送処理部１６３、ＧＵＩ処理部１６４、放送出力部１６５、制御部１６６、保存部１６７、及びリモコン受信部１６８に対する詳細な説明は、図７に示されたＩＰ−ＴＶ放送受信部１４２、放送処理部１４３、ＧＵＩ処理部１４４、放送出力部１４５、制御部１４６、保存部１４７及びリモコン受信部１４８に対する詳細な説明から類推可能であるため省略する。
【０１０１】
一方、図１２に示された入出力部１６９は、ＤＴＶ１５０から受信される放送番組の要請メッセージを制御部１６６に伝達する機能を行う。
【０１０２】
以下では、図１０に示された放送システムにより加入者に放送番組の提供される過程について、図１３を参照して詳細に説明する。図１３は本発明のもう一つの他の実施例に係る放送番組の提供方法の説明に提供されるフローチャートである。
【０１０３】
図１３のＳ１３０５ステップ乃至Ｓ１３３０ステップに対する詳細な説明は、図３のＳ３１０ステップ乃至Ｓ３６０ステップに対する詳細な説明から類推可能であるため省略し、以下ではＳ１３３０ステップの以後から説明する。
【０１０４】
ＤＴＶ１５０は、Ｓ１３３０ステップを介して獲得したＩＰ−ＴＶ放送番組のＩＤを用いて生成したＩＰ−ＴＶ放送番組の要請メッセージをＳＴＢ１６０に転送する（Ｓ１３３５）。そうすると、ＳＴＢ１６０はＳ１３３５ステップで受信したＩＰ−ＴＶ放送番組の要請メッセージをＩＰ−ＴＶ放送サービスサーバー１７０に伝達する。
【０１０５】
以後、ＳＴＢ１６０はＩＰ−ＴＶ放送サービスサーバー１７０から伝達されたＩＰ−ＴＶ放送番組を受信し（Ｓ１３４５）、受信されたＩＰ−ＴＶ放送番組をディスプレー可能なフォーマットに信号処理してＤＴＶに伝達する（Ｓ１３５０）。
【０１０６】
そうすると、ＤＴＶ１５０はＳ１３５０ステップで受信されたＩＰ−ＴＶ放送番組をディスプレーしてユーザーが観られるようにする（Ｓ１３５５）。
【０１０７】
これにより、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【０１０８】
以下では、図１０に示された放送システムにより加入者に放送番組の提供されるもう一つの他の過程について、図１４を参照して詳細に説明する。図１４は、本発明のもう一つの他の実施例に係る放送番組の提供方法の説明に提供されるフローチャートである。
【０１０９】
図１４のＳ１４０５ステップ乃至Ｓ１４２５ステップに対する詳細な説明は、図１３のＳ１３０５ステップ乃至Ｓ１３２５ステップに対する詳細な説明から類推可能であるため省略し、以下ではＳ１４２５ステップ以後から説明する。
【０１１０】
ＤＴＶ１５０はＳ１４２５ステップで選択された以前時点の一般−ＴＶ放送番組の要請メッセージをＳＴＢ１６０に伝達する（Ｓ１４３０）。そうすると、ＳＴＢ１６０はＳ１４３０ステップで要請された以前時点の一般−ＴＶ放送番組のＩＤを同じ内容を持つＩＰ−ＴＶ放送番組のＩＤに変換する（Ｓ１４３５）。
【０１１１】
Ｓ１４３５ステップは、１）ＳＴＢ１６０の制御部１６６がＳ１４３０ステップで受信した放送番組の要請メッセージに収録されている一般−ＴＶ放送番組のＩＤを抽出し、２）放送番組ＩＤ変換用ＤＢ上で一般−ＴＶ放送番組のＩＤにマッチングされるＩＰ−ＴＶ放送番組のＩＤを探し出す過程による。ここで、放送番組ＩＤ変換用ＤＢは前述の図４に示されたものでも構わない。
【０１１２】
以後、ＳＴＢ１６０はＳ１４３５ステップを介して獲得したＩＰ−ＴＶ放送番組のＩＤを用いて、ＩＰ−ＴＶ放送サービスサーバー１７０に当該ＩＰ−ＴＶ放送番組を要請する（Ｓ１４４０）。以後、ＳＴＢ１６０はＳ１４４０ステップを介して要請したＩＰ−ＴＶ放送番組を受信し（Ｓ１４４５）、受信されたＩＰ−ＴＶ放送番組をディスプレー可能なフォーマットに信号処理してＤＴＶ１５０に伝達する（Ｓ１４５０）。
【０１１３】
そうすると、ＤＴＶ１５０はＳ１４５０ステップで受信されたＩＰ−ＴＶ放送番組をディスプレーしてユーザーが観られるようにする（Ｓ１４５５）。
【０１１４】
これによっても、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【０１１５】
以下では、図１０に示された放送システムにより加入者に放送番組の提供されるもう一つの他の過程について図１５を参照して詳細に説明する。図１５は本発明のもう一つの他の実施例に係る放送番組の提供方法の説明に提供されるフローチャートである。
【０１１６】
図１５のＳ１５０５ステップ乃至Ｓ１５３０ステップに対する詳細な説明は、図１４のＳ１４０５ステップ乃至Ｓ１４３０ステップに対する詳細な説明から類推可能であるため省略し、以下ではＳ１５３０ステップ以後から説明する。
【０１１７】
ＳＴＢ１６０はＳ１５３０ステップを介して受信したＩＰ−ＴＶ放送番組の要請メッセージをＩＰ−ＴＶ放送サービスサーバー１７０に伝達する（Ｓ１５３５）。そうすると、ＩＰ−ＴＶ放送サービスサーバー１７０はＳ１５３５ステップで要請された以前時点の一般−ＴＶ放送番組と同じ内容のＩＰ−ＴＶ放送番組を検索する（Ｓ１５４０）。
【０１１８】
以後、ＩＰ−ＴＶ放送サービスサーバー１７０がＳ１５４０ステップで検索されたＩＰ−ＴＶ放送番組を転送すると（Ｓ１５４５）、ＳＴＢ１６０は受信されたＩＰ−ＴＶ放送番組をディスプレー可能なフォーマットに信号処理してＤＴＶ１５０に伝達する（Ｓ１５５０）。
【０１１９】
そうすると、ＤＴＶ１５０はＳ１５５０ステップで受信されたＩＰ−ＴＶ放送番組をディスプレーしてユーザーが観られるようにする（Ｓ１５５５）。
【０１２０】
これによっても、ユーザーはＩＰ−ＴＶ放送番組に対するＥＰＧでない一般−ＴＶ放送番組に対するＥＰＧを介して以前の一般−ＴＶ放送番組を選択し、それと同じ内容のＩＰ−ＴＶ放送番組を代わりに視聴することが可能になる。
【０１２１】
本実施例では、以前の一般−ＴＶ放送番組と同じ内容のＩＰ−ＴＶ放送番組を代わりに提供するするものとしたが、これは説明の便宜のための例に該当する。従って、現在時点又は未来時点の一般−ＴＶ放送番組と同じ内容のＩＰ−ＴＶ放送番組を代わりに提供する場合にも、本発明の技術的な思想が適用されることができる。
【０１２２】
特に、未来時点の一般−ＴＶ放送番組が生放送でなく録画放送の場合であり、これをＩＰ−ＴＶ放送サービスサーバー１７０が確保している場合なら、ユーザーは未放送の未来時点の一般−ＴＶ放送番組を提供してもらえるようになる。
【０１２３】
なお、前述の諸実施例では放送番組のＩＤを用いて放送番組を特定し要請するものと想定されたが、これもまた説明の便宜のための例示に過ぎない。放送番組が特定できる情報なら、ＩＤを代替することができる。例えば、放送番組のタイトル＆放送日付を用いて放送番組の特定が可能であるため、これらを用いて放送番組を要請することも可能である。
【０１２４】
一方、タイトル＆放送日付は、一般−ＴＶ放送番組とそれに対応するＩＰ−ＴＶ放送番組に共通する情報といえる。従って、本発明は一般−ＴＶ放送番組とそれに対応するＩＰ−ＴＶ放送番組に共通する情報が収録された要請メッセージを介して、ＩＰ−ＴＶ放送番組を特定し要請するものとも解釈可能である。
【０１２５】
そして、本実施例では一般−ＴＶ放送番組と同じ内容のＩＰ−ＴＶ放送番組を提供するものと想定したが、この他にも一般−ＴＶ放送番組と関連性のあるＩＰ−ＴＶ放送番組を提供することでも実現可能である。
【０１２６】
一般−ＴＶ放送番組と関連性のあるＩＰ−ＴＶ放送番組として、１）一般−ＴＶ放送番組と同じタイトルで回数の異なるＩＰ−ＴＶ放送番組、２）一般−ＴＶ放送番組の登場人物の内、少なくとも一部が一致するＩＰ−ＴＶ放送番組、及び、３）一般−ＴＶ放送番組と同じジャンルのＩＰ−ＴＶ放送番組等が挙げられる。
【０１２７】
一方、一般−ＴＶ放送番組と関連性のあるＩＰ−ＴＶ放送番組が複数検索された場合があり得る。この場合は、検索された複数のＩＰ−ＴＶ放送番組中、いずれか一つを選択するためのＧＵＩをユーザーに提供し、ユーザーにより望む一つを選択できるように実現することが望ましい。
【０１２８】
なお、一般−ＴＶ放送番組と同じ内容のＩＰ−ＴＶ放送番組の場合も複数が検索され得る。例えば、ＩＰ−ＴＶ放送番組のソースが複数である場合やＩＰ−ＴＶ放送サービスサーバーが複数である場合等がこれに該当するが、この場合にも検索された複数のＩＰ−ＴＶ放送番組中いずれか一つを選択するためのＧＵＩをユーザーに提供し、ユーザーにより望む一つを選択できるようにすることが望ましい。
【０１２９】
そして、前記のＧＵＩに検索されたＩＰ−ＴＶ放送番組を羅列することにおいては、検索されたＩＰ−ＴＶ放送番組に対するプロパティが付随的に記されるように実現できる。例えば、検索されたＩＰ−ＴＶ放送番組が、ＨＤ放送番組か否かや有料放送番組であるか否かに対する案内をＧＵＩに記しユーザーに対してともに提供するのである。このように実現すれば、ユーザーがＩＰ−ＴＶ放送番組を選択するのに有効に参考することができる。
【０１３０】
本実施例で言及した一般−ＴＶ放送番組はリアルタイムの放送番組に対する例示であり、ＩＰ−ＴＶ放送番組は非リアルタイムの放送番組に対する例示である。従って、言及した放送番組と異なる種類のリアルタイムの放送番組と非リアルタイムの放送番組とが存在するシステムにおいても、本発明の技術的な思想が適用可能である。
【０１３１】
また一方では、一般−ＴＶ放送番組とＩＰ−ＴＶ放送番組は互いに異なる放送方式で放送される番組といえる。従って、法業者は互いに異なる放送方式で放送される番組が存在するシステムなら、放送番組の種類と無関係に本発明の技術的な思想を適用することができるだろう。
【０１３２】
一方、本実施例で言及したＥＰＧは放送編成表の一例として、ＥＰＧと異なる名称と異なる形式のものでもそれが放送編成表であれば、ＥＧＰを代替することができるだろう。
【０１３３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３４】
１１０  一般ＩＰ−ＴＶ放送サービスセンター
１２０  ＩＰ−ＴＶ
１３０  ＤＴＶ
１４０  ＳＴＢ
１５０  ＤＴＶ
１６０  ＳＴＢ
１７０  ＩＰ−ＴＶ放送サービスサーバー
【図１】
2010252339.tif 000003
【図２】
2010252339.tif 000004
【図３】
2010252339.tif 000005
【図４】
2010252339.tif 000006
【図５】
2010252339.tif 000007
【図６】
2010252339.tif 000008
【図７】
2010252339.tif 000009
【図８】
2010252339.tif 000010
【図９】
2010252339.tif 000011
【図１０】
2010252339.tif 000012
【図１１】
2010252339.tif 000013
【図１２】
2010252339.tif 000014
【図１３】
2010252339.tif 000015
【図１４】
2010252339.tif 000016
【図１５】
2010252339.tif 000017